(57)【要約】【課題】単純な構成で自動的に照明条件が制御される照明装置を得る。【解決手段】制御部７０は、日の出が来たか否かを照度センサ７１の出力によって認識し、この時刻を日の出推定時刻として記憶する。その後、制御部７０は、日没となったか否かを照度センサ７１の出力によって認識し、この時点における時刻を日没推定時刻として認識する。日没推定時刻と、日の出推定時刻との間の時間差を実測日照時間と認識する。制御部７０は、現在の日付における暦上の日照時間と、実測日照時間とを比較し、実測日照時間が暦上の日照時間と同等とみなせれば好天であると認識し、実測日照時間が暦上の日照時間と同等でなく短ければ、悪天であると認識する。制御部７０は、現在の月日と、上記のように認識された天候に応じたランプ３０の照明条件を設定する。【選択図】図１
2016012425.tif 000002
【特許請求の範囲】
【請求項１】
色温度が可変とされた照明光を発する発光手段と、
環境の照度を測定する照度計測手段と、
月日及び時刻を認識する時刻認識手段と、
月日に応じた暦上の日照時間のデータを記憶する日照時間記憶手段と、
前記照度計測手段によって測定された前記照度が増大した時刻である日の出推定時刻と、前記照度計測手段によって測定された前記照度が減少した時刻である日没推定時刻を認識し、前記日の出推定時刻と前記日没推定時刻との時間差である実測日照時間と、前記時刻認識手段によって認識された月日における前記暦上の日照時間とを比較した結果に応じて、前記照明光の前記色温度を設定する制御手段と、
を具備することを特徴とする照明装置。
【請求項２】
前記制御手段は、前記時刻認識手段によって認識された月日に応じて前記発光手段によって発せられる前記照明光の照度を設定することを特徴とする請求項１に記載の照明装置。
【請求項３】
前記制御手段は、前記日没推定時刻に基づいて前記発光手段を点灯させ、前記日の出推定時刻以降に前記発光手段を消灯させることを特徴とする請求項１又は２に記載の照明装置。
【請求項４】
前記発光手段において、前記照明光は周期的に発せられる設定とされたことを特徴とする請求項２又は３に記載の照明装置。
【請求項５】
前記制御手段は、前記発光手段における発光の周期内における前記発光手段が前記照明光を発する時間と、前記周期内における前記発光手段が前記照明光を発さない時間との比率を調整することによって、前記照明光の照度を設定することを特徴とする請求項４に記載の照明装置。
【請求項６】
前記発光手段は、第１の色温度の発光をする第１の光源と、前記第１の色温度と異なる第２の色温度の発光をする第２の光源と、を具備し、前記発光手段における発光の周期内に前記第１の光源の発光と前記第２の光源の発光とが切り替えて行われ、
前記制御手段は、前記周期内における前記第１の光源が発光する時間と前記第２の光源が発光する時間との比率を変えることによって、前記照明光の色温度を調整する制御を行うことを特徴とする請求項４又は５に記載の照明装置。
【請求項７】
前記制御手段は、前記時刻認識手段によって認識された時刻に応じて前記照明光の色温度を設定することを特徴とする請求項１から請求項６までのいずれか１項に記載の照明装置。
【発明の詳細な説明】
【技術分野】
【０００１】
本発明は、自動的に照明条件が制御される照明装置に関する。
【０００２】
街灯等に使用される照明装置においては、環境の照度に応じてそのオン・オフが自動的に制御され、昼間は消灯し、夜間には点灯するような制御が自動的に行われている。この場合、環境の照度（環境照度）を測定する照度センサが用いられ、測定された環境照度が、ある閾値以下の場合には照明光がオンとされ、環境照度がこの閾値を超えたら照明光がオフとされる制御が自動的に行われる。この際、単なるオン・オフの制御だけではなく、照明の質（照明の色温度や照度）も、環境に応じて自動的に制御する技術が、特許文献１に記載されている。
【０００３】
この技術においては、照度センサ以外の各種のセンサ（温度センサや湿度センサ）を用い、外気温や湿度を認識することによって、照明における最適な色温度を設定する。これによって、例えば暑い日には色温度を高くし、寒い日には色温度を低くして、それぞれにおいて人間が快適に感じるような照明条件で照明をすることができる。この技術においては、こうした制御が自動的に行われる。
【先行技術文献】
【特許文献】
【０００４】
【特許文献１】特開２０１２−４８９６６号公報
【発明の概要】
【発明が解決しようとする課題】
【０００５】
しかしながら、上記の照明装置においては、照度センサ以外にも複数のセンサ（温度センサ、湿度センサ等）が必要となるため、装置の構成が複雑となった。特に上記の照明装置は、屋外で自動的に動作するように設置されているため、このように複雑な構成の場合、故障や誤動作の可能性が高くなった。また、その価格も高くなった。
【０００６】
このため、単純な構成で自動的に照明条件が制御される照明装置が望まれた。
【０００７】
本発明は、かかる問題点に鑑みてなされたものであり、上記問題点を解決する発明を提供することを目的とする。
【課題を解決するための手段】
【０００８】
本発明は、上記課題を解決すべく、以下に掲げる構成とした。
本発明の照明装置は、色温度が可変とされた照明光を発する発光手段と、環境の照度を測定する照度計測手段と、月日及び時刻を認識する時刻認識手段と、月日に応じた暦上の日照時間のデータを記憶する日照時間記憶手段と、前記照度計測手段によって測定された前記照度が増大した時刻である日の出推定時刻と、前記照度計測手段によって測定された前記照度が減少した時刻である日没推定時刻を認識し、前記日の出推定時刻と前記日没推定時刻との時間差である実測日照時間と、前記時刻認識手段によって認識された月日における前記暦上の日照時間とを比較した結果に応じて、前記照明光の前記色温度を設定する制御手段と、を具備することを特徴とする。
本発明の照明装置において、前記制御手段は、前記時刻認識手段によって認識された月日に応じて前記発光手段によって発せられる前記照明光の照度を設定することを特徴とする。
本発明の照明装置において、前記制御手段は、前記日没推定時刻に基づいて前記発光手段を点灯させ、前記日の出推定時刻以降に前記発光手段を消灯させることを特徴とする。
本発明の照明装置は、前記発光手段において、前記照明光は周期的に発せられる設定とされたことを特徴とする。
本発明の照明装置において、前記制御手段は、前記発光手段における発光の周期内における前記発光手段が前記照明光を発する時間と、前記周期内における前記発光手段が前記照明光を発さない時間との比率を調整することによって、前記照明光の照度を設定することを特徴とする。
本発明の照明装置において、前記発光手段は、第１の色温度の発光をする第１の光源と、前記第１の色温度と異なる第２の色温度の発光をする第２の光源と、を具備し、前記発光手段における発光の周期内に前記第１の光源の発光と前記第２の光源の発光とが切り替えて行われ、前記制御手段は、前記周期内における前記第１の光源が発光する時間と前記第２の光源が発光する時間との比率を変えることによって、前記照明光の色温度を調整する制御を行うことを特徴とする。
本発明の照明装置において、前記制御手段は、前記時刻認識手段によって認識された時刻に応じて前記照明光の色温度を設定することを特徴とする。
【発明の効果】
【０００９】
本発明は以上のように構成されているので、単純な構成で自動的に照明条件が制御される照明装置を得ることができる。
【図面の簡単な説明】
【００１０】
【図１】本発明の実施の形態に係る照明装置の構成を示す図である。
【図２】暦上の日照時間の月日依存性の例である。
【図３】本発明の実施の形態に係る照明装置において用いられる信号の例である。
【図４】本発明の実施の形態に係る照明装置において、第１の光源を発光させる場合（ａ）と第２の光源を発光させる場合（ｂ）の電流の流れを示す図である。
【図５】本発明の実施の形態に係る照明装置における制御手段の動作を示すフローチャートである
【図６】色温度を時刻に応じて変える場合の特性の例である。
【発明を実施するための形態】
【００１１】
以下、本発明の実施の形態となる照明装置につき説明する。この照明装置は、特許文献１に記載の照明装置と同様に、環境に応じて照明の色温度を調整する。ただし、この調整において検知するのは環境の照度のみであり、気温や湿度等のデータは使用されない。
【００１２】
図１は、この照明装置１の構成を示す図である。ここでは、ＬＥＤ（発光ダイオード）１１〜１４が直列接続された第１ＬＥＤユニット（第１の光源）１０、ＬＥＤ２１〜２４が直列接続された第２ＬＥＤユニット（第２の光源）２０が、その整流方向が逆向きとなるように並列接続されたランプ（発光手段）３０が発光源として用いられている。ＬＥＤ１１〜１４と、ＬＥＤ２１〜２４においては、共に、青色発光素子の周囲に蛍光材料が設けられた構成を具備する。ここで、これらにおいては、青色発光素子としては共通のものが使用されているが、その周囲の蛍光材料は異なる。このため、これらが発する光の色温度は異なり、ＬＥＤ１１〜１４が発する光の色温度（第１の色温度）をＴＣ１、ＬＥＤ２１〜２４の発する光の色温度（第２の色温度）をＴＣ２とすると、ＴＣ１＞ＴＣ２となるように設定される。ＴＣ１は例えば６０００Ｋ、ＴＣ２は例えば２３００Ｋとすることができる。第１ＬＥＤユニット１０にはＬＥＤ１１〜１４と同じ整流方向の保護ダイオード１５が、第２ＬＥＤユニット２０にはＬＥＤ２１〜２４と同じ整流方向の保護ダイオード２５が、それぞれ逆電圧に対する保護のために直列に接続されている。
【００１３】
また、直流電源４０からの電流のオン・オフを制御する調光部５０が直流電源４０に接続されている。調光部５０においては、調光用スイッチング素子５１が用いられている。調光部５０は、ランプ３０の発する照明光の照度を調整するために用いられる。
【００１４】
また、調光部５０からの信号は、調色部６０に入力する。調色部６０においては、調色用スイッチング素子６１〜６４が、図１に示されるように接続されて用いられている。調光部５０の出力は単極性パルス信号であり、調色部６０の出力は両極性パルス信号である。調色部６０は、照明光の色温度を調整するために用いられる。
【００１５】
調光用スイッチング素子５１、調色用スイッチング素子６１〜６４としては、例えばＭＯＳＦＥＴやバイポーラトランジスタを用いることができる。切替動作時の過渡特性を良好にするために、ＭＯＳＦＥＴの場合にはソース・ドレイン間、バイポーラトランジスタの場合にはエミッタ・コレクタ間に回生ダイオードを接続することが好ましい。以下では、調光用スイッチング素子５１、調色用スイッチング素子６１〜６４として、ＭＯＳＦＥＴが用いられた場合について説明する。この場合には、これらのオン・オフは各々のゲート電極に印加された電圧（ゲート電圧）で定まる。
【００１６】
調光用スイッチング素子５１、調色用スイッチング素子６１〜６４の各々のゲート電圧は、制御部（制御手段）７０によって制御される。制御部７０は、例えばマイクロコンピュータ等で構成され、制御部７０には、照度センサ（照度計測手段）７１によって検出された照度（照明装置１が置かれた環境の照度：環境照度Ｌ０）が入力する。
【００１７】
また、現在の日付、時刻をカレンダー機構、時計機構によって認識する時刻認識部（時刻認識手段）７２も制御部７０に接続される。このため、制御部７０は、時刻認識部７２を介して、現在の月日、時刻を認識することができる。
【００１８】
また、月日に応じた暦上の日照時間（暦上の日の出時刻と暦上の日没時刻との間の時間）を記憶する日照時間記憶部（日照時間記憶手段）７３も、制御部７０に接続される。暦上の日照時間は、月日に応じて一義的に定まり、日照時間記憶部７３は、このデータを記憶している。なお、月日と暦上の日照時間との間の関係は、地理上の位置（地方）によって異なるが、日照時間記憶部７３あるいは制御部７０は、予めこの照明装置１が設けられた地方、あるいはこの地方における月日と暦上の日照時間との間の関係を記憶している。図２は、日本における４つの都市（東京、金沢、札幌、那覇）における月日と暦上の日照時間との間の関係を示す図である。日照時間記憶部７３は、こうした対応関係を記憶するＲＯＭや不揮発性メモリで構成される。
【００１９】
以上により、制御部７０は、この照明装置１が設置された環境の照度、現在の月日、現在の時刻を認識することができ、これに応じて調光用スイッチング素子５１、調色用スイッチング素子６１〜６４の各々のゲート電圧を制御する。また、制御部７０は、照度センサ７１によって認識された環境照度Ｌ０（ランプ３０がオフの場合において照度センサ７１によって認識された照度）が、閾値Ｋ以下の場合にはランプ３０を発光させ、環境照度Ｌ０がこの閾値Ｋを超えた場合にはランプ３０を発光させない。このため、ランプ３０は、主に夜間において点灯する。
【００２０】
次に、この照明装置１においてランプ３０が照明光を発する際の制御について説明する。この制御は、パルス信号を用いて周期的に行われる。図３は、ランプ３０を点灯させる際の調光信号（調光部５０の出力信号）Ｖ１、調色信号（調色部６０の出力信号）Ｖｏｕｔ、第１ＬＥＤユニット１０の出力、第２ＬＥＤユニット２０の出力、をそれぞれ示す。ここで、図１に示されるように、第１ＬＥＤユニット１０、第２ＬＥＤユニット２０は並列に接続されるため、第１ＬＥＤユニット１０の出力、第２ＬＥＤユニット２０にはＶｏｕｔが共通して入力される。ただし、第１ＬＥＤユニット１０の出力、第２ＬＥＤユニット２０が同時に発光することはない。
【００２１】
直流電源４０の電圧をＶ０とすると、制御における１周期の時間Ｔ内において、調光信号Ｖ１は、調光用スイッチング素子５１によって、０（ｌｏｗレベル）、Ｖ０（ｈｉｇｈレベル）の２値に制御され、Ｖ０となる時間がＴｏｎ、０となる時間がＴｏｆｆ（Ｔｏｎ＋Ｔｏｆｆ＝Ｔ）である。Ｔｏｎの期間においては調光用スイッチング素子５１がオン、Ｔｏｆｆの期間においては調光用スイッチング素子５１がオフとなるように、調光用スイッチング素子５１のゲート電圧が印加される。Ｔは、人間の目視でＴｏｎ・Ｔｏｆｆの切替が認識できない程度の短時間であり、例えば１〜２ｍｓ程度とされる。
【００２２】
このＶ１が入力された調色部６０は、調色用スイッチング素子６１〜６４を制御して、図３に示されたＶｏｕｔを出力することができる。Ｖｏｕｔは、Ｔｏｆｆの期間においては零であり、Ｔｏｎの期間においては、＋Ｖ０又は−Ｖ０となるようなパルス出力となり、＋Ｖ０が出力された期間がＴ１、−Ｖ０が出力された期間がＴ２（Ｔ１＋Ｔ２＝Ｔｏｎ）である。
【００２３】
図４は、調色部６０以降における、Ｔ１の期間における電流の流れ（ａ）、Ｔ２の期間における電流の流れ（ｂ）をそれぞれ示す。この図においては、各期間における調色用スイッチング素子６１〜６４のオン・オフについても記載されている。
【００２４】
図４（ａ）に示されるように、Ｔ１の期間においては、調色用スイッチング素子６１、６４がオン、調色用スイッチング素子６２、６３がオフとなるように、調色用スイッチング素子６１〜６４のゲート電圧が制御される。この場合、ランプ３０においては、第１ＬＥＤユニット１０が順バイアスとなって発光し、第２ＬＥＤユニット２０は逆バイアスとなって発光しない。このため、ランプ３０においては、色温度ＴＣ１の第１ＬＥＤユニット１０のみが発光をする。
【００２５】
一方、図４（ｂ）に示されるように、Ｔ２の期間においては、調色用スイッチング素子６２、６３がオン、調色用スイッチング素子６１、６４がオフとなるように、調色用スイッチング素子６１〜６４のゲート電圧が制御される。この場合、ランプ３０においては、第１ＬＥＤユニット１０が逆バイアスとなって発光せず、第２ＬＥＤユニット２０は順バイアスとなって発光する。このため、ランプ３０においては、色温度ＴＣ２の第２ＬＥＤユニット２０のみが発光をする。
【００２６】
上記の構成においては、Ｔｏｎ・Ｔｏｆｆの切替が目視で認識できない程度に周期Ｔが短くされれば、Ｔ１・Ｔ２の切替も目視で確認できない。このため、比率Ｔ１／Ｔ２あるいはＴ１（２）／Ｔｏｎ（＝Ｔ１（２）／Ｔ１＋Ｔ２））の値を調整することによってランプ３０の発する照明光の色温度ＴＣを、ＴＣ１〜ＴＣ２の間で調整することができる。Ｔ２＝０（Ｔ１＝Ｔｏｎ）の場合にはＴＣ＝ＴＣ１となり、Ｔ１＝０（Ｔ２＝Ｔｏｎ）の場合にはＴＣ＝ＴＣ２となる。
【００２７】
また、第１ＬＥＤユニット１０、第２ＬＥＤユニット２０が発光する際にこれらに印加される電圧は一定（直流電源４０の電圧Ｖ０）であるため、Ｔ１の期間に第１ＬＥＤユニット１０が発する光の照度、Ｔ２の期間に第２ＬＥＤユニット２０が発する光の照度は一定である。これらの発する光の照度を同等とすれば、比率Ｔｏｎ／Ｔｏｆｆ、あるいはＴｏｎ（ｏｆｆ）／Ｔ（＝Ｔｏｎ（ｏｆｆ）／（Ｔｏｎ＋Ｔｏｆｆ））を調整することによって、ランプ３０の発する光の照度を調整することができる。以下では、照度を定める値としてＴｏｎ／Ｔを調光率と定義する。調光率が０％のときに照度が零、１００％のときに照度が最大となる。
【００２８】
すなわち、上記の照明装置１においては、上記の調光部５０、調色部６０を用いることによって、ランプ３０の発する光の色温度ＴＣ、調光率を調整することができる。なお、ランプ３０を点灯させない場合（環境照度Ｌ０が閾値Ｋを超えた場合）には、調光率が零とされる。
【００２９】
次に、この照明装置１における、色温度ＴＣ、調光率の環境照度Ｌ０等に基づいた設定について説明する。図５は、この照明装置１における制御部７０の動作を示すフローチャートである。
【００３０】
この照明装置１においては、ランプ３０の照明の条件が、自動制御、マニュアル制御のいずれかで行われる。このため、まず、このうちのどちらかが作業者によって選択される（Ｓ１）。なお、ここでは、この設定は夜間（ランプ３０の点灯時）に行われているものとする。
【００３１】
自動制御が選択された場合（Ｓ１）、制御部７０は、時刻認識部７２によって現在の月日を認識し、この月日に対応した暦上の日照時間を日照時間記憶部７３を参照し、認識する（Ｓ２）。その後、日の出が来たか否かを照度センサ７１の出力によって認識する（Ｓ３）。ここで、日の出が来たか否かは、照度センサ７１によって測定された環境照度Ｌ０が増大したか否かによって判定され、具体的には、測定された環境照度Ｌ０が予め定められた閾値Ｋを超えた（Ｌ０＞Ｋ）か否かによって判定される。すなわち、Ｌ０≦Ｋの状態からＬ０＞Ｋとなった場合に、日の出が来たと認識される。なお、ここで、昼間において、悪天候のために一時的に暗くなった後で明るくなった場合が日の出と誤認される場合もあるが、後述するように、この場合においても適切な制御が行われる。
【００３２】
日の出が来たと認識されたら（Ｓ３）、制御部７０は、時刻認識部７２を参照してこの時点における時刻を認識し、この時刻を日の出推定時刻として記憶する（Ｓ４）。その後、ランプ３０を消灯する（Ｓ５）。この消灯は、日の出の際の徐々に明るくなる状況に対応させて、徐々に行うことが好ましい。具体的には、調光率を徐々に零に近づける制御を行うことによって、最終的にランプ３０を消灯させることができる。
【００３３】
その後、制御部７０は、日没となったか否かを照度センサ７１の出力によって認識する（Ｓ６）。この判定は、日の出の判定（Ｓ３）とは逆に、環境照度Ｌ０が減少したか否か、具体的には、Ｌ０＞Ｋの状態からＬ０≦Ｋとなったか否かによって行われる。日没が来たと認識されたら、制御部７０は、時刻認識部７２を参照してこの時点における時刻を日没推定時刻として認識する（Ｓ７）。この日没推定時刻と、日の出推定時刻（Ｓ４）との間の時間差を算出し、これを、実測された日照時間（実測日照時間）と認識する（Ｓ８）。なお、ここで、昼間において、悪天候のために急に暗くなり日没が来たと誤認される場合もあるが、後述するように、この場合においても適切な制御が行われる。
【００３４】
次に、制御部７０は、現在の日付における暦上の日照時間（Ｓ２）と、実測日照時間（Ｓ８）とを比較し、実測日照時間（Ｓ８）が暦上の日照時間（Ｓ２）と同等とみなせれば好天（晴天）であると認識し、実測日照時間（Ｓ８）が暦上の日照時間（Ｓ２）と同等でなく短ければ、悪天（雨天、曇天）であると認識する（Ｓ９）。この判定の閾値としては、例えば暦上の日照時間（Ｓ２）の９５％の値と実測日照時間（Ｓ８）との大小関係を判断すること等によって行うことができる。
【００３５】
次に、制御部７０は、現在の月日（Ｓ２）と、上記のように認識された天候（Ｓ９）に応じたランプ３０の照明条件を設定する（Ｓ１０）。現在の日付（Ｓ２）を単純な四季（春夏秋冬）に換算して設定を行い、例えば表１に示されるようにこの設定を行うことができる。ここで、色温度ＴＣは、前記のＴ１／Ｔｏｎの値を、「高」において１００％（ＴＣ＝ＴＣ１）、「低」において０％（ＴＣ＝ＴＣ２）とし、「やや高」、「やや低」については、１００％＞（「やや高」におけるＴ１／Ｔｏｎの設定値）＞（「やや低」におけるＴ１／Ｔｏｎの設定値）＞０％とすることができる。これにより、夏期は色温度を高くして白色系の照明光を発し、冬期は色温度を低くして暖色系の照明光を発することができる。ここで、一般に白色系の照明光は明るく感じられ、暖色系の照明光は暗く感じられるため、夏期における調光率は低く、冬期における調光率は高く設定される。調光率としては、「高」を１００％、「低」を９０％程度とすることができる。また、この場合の色温度、照明の照度の設定は、特許文献１に記載の技術と同様にすることもできる。夏期、冬期のどちらにおいても悪天時には、色温度が低くなるよう（暖色系側に）に制御される。
【００３６】
【表１】
2016012425.tif 000003
【００３７】
次に、この設定で、制御部７０は、ランプ３０をオンする（Ｓ１１）。この際、消灯時（Ｓ５）と逆に、調光率を徐々に大きくすることが好ましい。その後、再び現在の月日及び暦上の日照時間を認識（Ｓ２）し、以降の工程が前記と同様に行われる。
【００３８】
なお、自動制御が選択されなかった場合（Ｓ１）においては、上記の表１と同様の設定は、作業者によって設定される（Ｓ１２）。その後、上記と同様に日の出に伴って消灯が行われ（Ｓ１３、Ｓ１４）、日没に伴って点灯が行われる（Ｓ１５、Ｓ１６）。
【００３９】
上記の制御においては、実測日照時間（Ｓ８）が暦上の日照時間（Ｓ２）と比べて大きく短い場合には悪天と判断され、それに応じた照明条件（色温度、調光率）が設定される（Ｓ１０）。ここで、前記の通り、日の出、日没が悪天候のために誤認される場合もあるが、この場合にはいずれも実測日照時間（Ｓ８）は短くなる。このため、この場合は悪天であると正しく認識され、適切な設定が行われる。更に、この場合においても点灯（Ｓ１１）後に再び月日が認識される（Ｓ２）ため、その後の動作も適正に行われる。
【００４０】
上記の制御においては、照度センサ７１が用いられるが、照度センサ７１は、上記のような色温度の制御を行わない場合でもランプ３０の消灯、点灯の判定のために必要であるため、従来の照明装置においても用いられている。上記の照明装置１において、新たに必要となるのは時刻認識部７２、日照時間記憶部７３である。時刻認識部７２は、時計機構やカレンダー機構を用いて構成することができる。また、日照時間記憶部７３は、日照時間のデータを記憶するＲＯＭや不揮発性メモリで構成することができる。このため、これらを制御部７０と容易に組み合わせることができ、上記の照明装置１を単純な構成とすることができる。
【００４１】
この際、上記の制御においては、日の出と認識された時点（日の出推定時刻）と日没と認識された時点（日没推定時刻）の時間差が実測日照時間とされる。上記の制御はこの実測日照時間を用いて行われ、日の出推定時刻や日没推定時刻自身は直接使用されない。時刻認識部７２で認識される時刻が実際の時刻から数分以上狂っていた場合には、日の出推定時刻や日没推定時刻には、これに応じた誤差が生ずるが、実測日照時間はこれらの差分であるため、実測日照時間の誤差は僅かである。このため、時刻認識部７２において用いられる時計機構に対しては、高い精度は要求されず、設定後におけるその調整は不要である。また、例えば表１のような季節毎の設定を行う場合には、日付が数日異なっても、問題にならないことは明らかである。このため、時刻認識部７２におけるカレンダー機構に対しても、高い精度は要求されず、設定後におけるその調整は不要である。また、日照時間記憶部７３においては、日照時間のデータが一度記憶されたら、この照明装置１が設置された後でこのデータを書き換えることは不要である。
【００４２】
このため、上記の照明装置１においては、これらが動作しなくなった場合以外は、設置後に時刻認識部７２、日照時間記憶部７３を調整する必要性は低い。
【００４３】
また、上記の例では、ランプ３０の色温度が天候、季節に応じて設定されたが、色温度を時刻に応じて変えることもできる。こうした場合の設定例を図６に示す。この場合においては、夏期、冬期における好天、悪天の場合の設定例が示されている。この場合においては、昼（１１〜１３時）を含む時間帯で、色温度が高く設定される。この時間帯は季節によらず昼間であるために、本来はランプ３０は点灯しない。しかしながら、突然に悪天となり暗くなった場合には、環境照度Ｌ０が低下し、ランプ３０が点灯した場合には、図６に示されるように、高い色温度が設定される。この場合において、「好天」、「悪天」は、前日における実測日照時間、あるいは同日において直前に日照時間と認識された時間に基づいて設定されるため、「好天」は、突然に天候が急変して悪天となった場合に対応し、「悪天」は、前日から継続的に悪天であった場合に対応する。図６の設定においては、前者の場合において特に色温度を高く設定している。このように、天候が急変したか否かに応じて、こうした設定を行うことができる。また、図６においては色温度が示されているが、同様に、照明光の照度（調光率）も時刻に応じて設定することができる。表２は、図６に示された各ケースにおける色温度の最大値と調光率の最大値の月依存性の一例を、暦上の日照時間と共に示す。月日に応じて、このように最適な照明条件を設定することができる。ただし、色温度の調整のみを行い、照明光については、その照度は一定とし、オン・オフの設定のみを行ってもよい。
【００４４】
【表２】
2016012425.tif 000004
【００４５】
また、前記の通り、ランプ３０が発する照明光の色温度ＴＣの設定は、Ｔ１／ＴｏｎあるいはＴ２／Ｔｏｎ（Ｔ１＋Ｔ２＝Ｔｏｎ）の設定によって行うことができる。表３は、ＴＣ１＝６０００Ｋ、ＴＣ２＝２３００Ｋとした場合におけるランプ３０が発する照明光の色温度ＴＣのＴ１／Ｔｏｎ、Ｔ２／Ｔｏｎとの間の関係を示す。Ｔ１、Ｔ２の設定によって、ＴＣをＴＣ１〜ＴＣ２の範囲で調整することができる。
【００４６】
【表３】
2016012425.tif 000005
【００４７】
制御部７０においては、上記の制御を行うプログラムが動作する。この際、図１の構成において、図６や表２等に示される設定データを記憶する設定データ記憶部を制御部７０に接続してもよい。この際、複数種類の設定データを設定データ記憶部が記憶し、このうちの１つが選択され、これに応じて上記の制御が行われるようにすることもできる。
【００４８】
なお、上記の構成においては、色温度がＴＣ１である第１の光源と色温度がＴＣ２である第２の光源が短時間に切り替えられて発光する発光手段が用いられた。しかしながら、こうした構成以外の構成を具備する発光手段が用いられる場合であっても、照明光の色温度ＴＣが制御できる限りにおいて、上記のように推定日照時間を基にした色温度ＴＣの制御は有効である。また、照明光の照度は、上記の例においては調光率によって設定されたが、これ以外の制御、例えば印加電圧の調整等によって照度を設定してもよい。
【００４９】
また、図６の動作では、日の出推定時刻直後にランプ３０を消灯し（Ｓ５）、日没推定時刻直後にランプ３０を点灯させた（Ｓ１１）が、日照時間記憶部７３が暦上の日の出時刻や日没時刻を記憶し、例えば暦上の日没時刻の直前にランプ３０を点灯させることもできる。これにより、実際の日没よりも前にランプ３０を点灯させることができる。この場合には、照度センサ７１は、ランプ３０のオンの制御には用いられない。こうした場合であっても、上記のように照度センサ７１を用いて得た実測日照時間によって天候を推定し、これに応じてその照明条件を調整することは有効である。また、この場合、前日の日没推定時刻を記憶し、暦上の日没推定時刻の代わりに用いることもできる。
【符号の説明】
【００５０】
１  照明装置
１０  第１ＬＥＤユニット（第１の光源）
１１〜１４、２１〜２４  ＬＥＤ
１５、２５  保護ダイオード
２０  第２ＬＥＤユニット（第２の光源）
３０  ランプ（発光手段）
４０  直流電源
５０  調光部
５１  調光用スイッチング素子
６０  調色部
６１〜６４  調色用スイッチング素子
７０  制御部（制御手段）
７１  照度センサ（照度計測手段）
７２  時刻認識部（時刻認識手段）
７３  日照時間記憶部（日照時間記憶手段）
【図１】
2016012425.tif 000006
【図２】
2016012425.tif 000007
【図３】
2016012425.tif 000008
【図４】
2016012425.tif 000009
【図５】
2016012425.tif 000010
【図６】
2016012425.tif 000011